(57)【要約】【課題】カメラのレリーズボタンの押圧操作において、各人で手の大きさが異なるため、ユーザーの指がレリーズボタンに届きにくかったり、逆に窮屈であったり、その形状がユーザーの指に合わないということもある。また、その形状は、略四角形状又は略円盤形状であることが多く、画一的なものとなっているが、ユーザーにおいては、低コストで、好みの形状のレリーズボタンとしたり、好みの色調としたいという欲求があった。【解決手段】シャッターを駆動させるためのレリーズスイッチと、押圧操作により前記レリーズスイッチを作動させるためのレリーズボタンとを備えたカメラのレリーズ構造において、前記レリーズボタンが着脱自在且つ交換可能であることを特徴とする。【選択図】  図４
2011064982.tif 000002
【特許請求の範囲】
【請求項１】
シャッターを駆動させるためのレリーズスイッチと、押圧操作により前記レリーズスイッチを作動させるためのレリーズボタンとを備えたカメラのレリーズ構造において、前記レリーズボタンが着脱自在且つ交換可能であることを特徴とするカメラのレリーズ構造
【請求項２】
前記レリーズボタンは、前記レリーズスイッチに、磁力で保持されることを特徴とする請求項１記載のカメラのレリーズ構造
【請求項３】
前記レリーズスイッチは、カメラ筐体外装面よりも突出しない位置に設置されることを特徴とする請求項１乃至２いずれか記載のカメラのレリーズ構造
【請求項４】
前記レリーズボタンに加えられた押圧力を前記レリーズスイッチに伝達するレリーズボタン受け部を備えていることを特徴とする請求項１記載のカメラのレリーズ構造
【請求項５】
前記レリーズボタンは、前記レリーズボタン受け部に、磁力で保持されることを特徴とする請求項４記載のカメラのレリーズ構造
【請求項６】
前記レリーズボタン受け部及び前記レリーズスイッチは、カメラ筐体外装面よりも突出しない位置に設置されることを特徴とする請求項４乃至５いずれか記載のカメラのレリーズ構造
【発明の詳細な説明】
【技術分野】
【０００１】
本発明は、レリーズボタンが着脱自在且つ交換可能であるカメラのレリーズ構造に関する。
【背景技術】
【０００２】
カメラの撮影操作性を向上させるために、カメラ本体の上面を傾斜させて、撮影者の手の大きさに合わせてレリーズスイッチ位置を調整したり、レリーズ操作部を回転させることにより、レリーズスイッチ位置を可変できるようにした技術が開示されている。
【特許文献１】特開２００４−１７７４５４号公報
【特許文献２】特開２００２−２８７２０５号公報
【発明の概要】
【発明が解決しようとする課題】
【０００３】
カメラのレリーズボタンの押圧操作において、ユーザー各人で手の大きさが異なるため、ユーザーの指がレリーズボタンに届きにくかったり、逆に窮屈であったりするという問題がある。また、ユーザーによっては、レリーズボタンの形状が指に合わず、押し難いということもある。
従来のカメラにおいては、レリーズボタンに雌ねじが切られていることが多く、さらに別レリーズボタンを取り付けられるような構造となっており、ユーザーの好みの別レリーズボタンを装着することができていたものの、その構造上、元のレリーズボタンより高さを低くすることは不可能であった。
まして、昨今のカメラのレリーズボタンには、そのような雌ねじが切られていることが少なくなっており、別レリーズボタンを取り付けることは、極めて困難となっている。
【０００４】
カメラ製造メーカーによっては、ユーザーの好みに合うよう、レリーズボタンの押圧の力量を調整するサービスを提供しているが、サービスセンター等に持ち込み、調整完了まで日数がかかる等、面倒な手続が必要となっている。
【０００５】
また、既製のカメラのレリーズボタンの形状は、略四角形状又は略円盤形状であることが多く、画一的なものとなっている。その色調も同様である。しかし、ユーザーにおいては、レリーズボタンを好みの形状としたり、好みの色調としたいという欲求があり、さらに、ユーザー自身でデザインしたレリーズボタンを取り付けたいという要望もある。
【０００６】
カメラを販促品として採用したい企業においても、その製造コストから断念する企業も多かったが、低コストに製作できるのであれば、たとえカメラ本体でなくとも、カメラの一部品であっても販促品としたいという要請もある。
【０００７】
そこで、カメラのレリーズボタンを着脱自在として、容易に交換可能とすることによって、低コストで、様々な形状のレリーズボタンに変更できるカメラのレリーズ構造を提供することを目的とする。
【課題を解決するための手段】
【０００８】
請求項１記載のカメラのレリーズ構造は、シャッターを駆動させるためのレリーズスイッチと、押圧操作により前記レリーズスイッチを作動させるためのレリーズボタンとを備えたカメラのレリーズ構造において、前記レリーズボタンが着脱自在且つ交換可能であることを特徴とする。
【０００９】
前記の発明によれば、レリーズボタンが着脱自在であり、交換可能となり、様々な形状のレリーズボタンを使用できるカメラのレリーズ構造を提供することができる。
【００１０】
請求項２記載のカメラのレリーズ構造は、請求項１記載のカメラのレリーズ構造において、前記レリーズボタンは、前記レリーズスイッチに、磁力で保持されることを特徴とする。
【００１１】
前記の発明によれば、レリーズボタンとレリーズスイッチとを磁力にて吸着させることによって、レリーズボタンの着脱が容易となるカメラのレリーズ構造を提供することができる。
【００１２】
請求項３記載のカメラのレリーズ構造は、請求項１乃至２いずれか記載のカメラのレリーズ構造において、前記レリーズスイッチは、カメラ筐体外装面よりも突出しない位置に設置されることを特徴とする。
【００１３】
前記の発明によれば、レリーズスイッチがカメラ筐体外装面から突出していないことにより、レリーズボタンを外した状態において、ユーザーが誤ってレリーズスイッチに触れるのを防ぐことができ、誤操作を防止できるカメラのレリーズ構造を提供することができる。
【００１４】
請求項４記載のカメラのレリーズ構造は、請求項１記載のカメラのレリーズ構造において、前記レリーズボタンに加えられた押圧力を前記レリーズスイッチに伝達するレリーズボタン受け部を備えていることを特徴とする。
【００１５】
前記の発明によれば、レリーズスイッチとレリーズボタンとを仲介するレリーズボタン受け部を設けることによって、レリーズスイッチの構造、位置にかかわらず、レリーズボタンが着脱自在且つ交換可能である、様々な形態のカメラのレリーズ構造を提供することができる。
【００１６】
請求項５記載のカメラのレリーズ構造は、請求項４記載のカメラのレリーズ構造において、前記レリーズボタンは、前記レリーズボタン受け部に、磁力で保持されることを特徴とする。
【００１７】
前記の発明によれば、レリーズボタンとレリーズボタン受け部とを磁力にて吸着させることによって、レリーズボタンの着脱が容易となるカメラのレリーズ構造を提供することができる。
【００１８】
請求項６記載のカメラのレリーズ構造は、請求項４乃至５いずれか記載のカメラのレリーズ構造において、前記レリーズボタン受け部及び前記レリーズスイッチは、カメラ筐体外装面よりも突出しない位置に設置されることを特徴とする。
【００１９】
前記の発明によれば、レリーズボタン受け部及びレリーズスイッチがカメラ筐体外装面から突出していないことにより、レリーズボタンを外した状態において、誤ってレリーズスイッチに触れるのを防ぐことができ、誤操作を防止できるカメラのレリーズ構造を提供することができる。
【発明の効果】
【００２０】
本発明のカメラのレリーズ構造を用いることによって、着脱自在であり、容易に交換可能なレリーズボタンを備えたカメラを提供することができる。
そして、ユーザーの手にフィットするレリーズボタン、様々な色調のレリーズボタン、様々な形状のレリーズボタン等を交換部品として用意することにより、ユーザー自身で自分の好みに合ったレリーズボタンに交換でき、ユーザーの嗜好に合わせたカメラを容易に提供することが可能となる。
また、企業のロゴ等を立体化したレリーズボタンを用意することにより、カメラの操作にとって重要な部品であるレリーズボタンをそれら形状とすることによって、より印象が深まり、効果的な宣伝機能を発揮する等の優れた効果を得ることができる。
【図面の簡単な説明】
【００２１】
【図１】本発明の実施の形態に係るカメラのレリーズ構造を用いたカメラの斜視図である。
【図２】本発明の実施の形態に係るカメラのレリーズ構造を用いたカメラの斜視図である。
【図３】従来のレリーズボタンの一例を示す正面図である。
【図４】本発明の実施の形態に係るカメラのレリーズ構造の一例を示す、図２のレリーズ部分の断面図である。
【図５】本発明の実施の形態に係るカメラのレリーズ構造の一例を示す、レリーズ部分の断面図である。
【図６】本発明の実施の形態に係るレリーズボタンの参考例を示す斜視図である
【発明を実施するための形態】
【００２２】
以下、図面を参照しつつ、本発明の実施の形態について説明する。
【００２３】
図１及び図２は、本発明の実施の形態のカメラのレリーズ構造を用いたカメラの斜視図となる。図２に示すように、レリーズボタン２は、カメラ本体１に対して着脱自在であり、他のレリーズボタン３と容易に交換可能となっている。
本発明の実施の形態のカメラのレリーズ構造は、銀塩フィルムカメラ、デジタルカメラを問わず実施可能である。
【００２４】
従来のカメラのレリーズボタンを図３に示すが、レリーズボタン２１の上部に雌ねじ穴２２が設けられ、ここに別レリーズボタン２３の雄ねじ部分２４を螺着して、別レリーズボタン２３をレリーズボタン２１に装着するようになっており、その着脱は、別レリーズボタン２３を数回転する必要があり、ワンタッチで着脱することは不可能であった。
しかし、本発明の実施の形態のカメラのレリーズ構造においては、レリーズボタン自体が、ワンタッチで着脱自在となる。
【００２５】
次に、図４を参照しつつ、本発明の実施の形態に係るカメラのレリーズ構造について説明をする。図４は、本発明の実施の形態に係るカメラのレリーズ構造の一例を示す、図２のレリーズ部分の断面図である。
【００２６】
本発明の実施の形態に係るカメラのレリーズ構造は、レリーズボタン３１と、レリーズボタン３１の下面に接着された磁石３２と、レリーズボタン受け部３３と、レリーズボタン受け部３３中心平面部に着設された金属板３４と、レリーズボタン受け部３３を支持するコイルバネ３５と、レリーズボタン受け部３３下部に配置されるレリーズスイッチ３６とから構成されている。
なお、コイルバネ３５を２つ使用しているが、その数は限定されるものではなく、１つとして、その中心部にレリーズスイッチ３６を配置するようにすることもできる。
【００２７】
レリーズボタン３１とレリーズボタン受け部３３とは、磁力により、磁石３２と金属板３４とが吸着することによって接合されるが、磁石３２を金属板とし、金属板３４を磁石とすることも可能であり、磁石３２と金属板３４をともに磁石とすることも可能である。
また、本実施例においては、レリーズボタン３１とレリーズボタン受け部３３とを、磁力により接合しているが、レリーズボタン３１下部側面に係止突起を設け、レリーズボタン受け部３３の内側面に前記係止突起に対応する係止穴を設け、両者を咬合することにより接合したり、レリーズボタン３１下部側面とレリーズボタン受け部３３の内側面との摩擦力を利用して、両者を接合することも可能である。
【００２８】
レリーズボタン３１をレリーズボタン受け部３３に接合した状態において、レリーズボタン３１を押圧操作することにより、レリーズボタン３１とレリーズボタン受け部３３とが下方へと共動し、レリーズスイッチ３６がオンとなる。
そして、レリーズボタン３１から指を離すことによって、コイルバネ３５の反発力により、レリーズボタン３１とレリーズボタン受け部３３とが上方へと共動し、原位置に復帰し、レリーズスイッチ３６がオフとなる。
なお、レリーズボタン受け部３３上面と外装筐体３８内面が接している状態が原位置となり、レリーズボタン受け部３３の外形を外装筐体３８のレリーズボタン穴の形状よりも大きくしているため、コイルバネ３５の反発力によっても、レリーズボタン受け部３３が外装筐体３８より突出することはない。
【００２９】
ここで、コイルバネ等の反発力を有する部材を内蔵し、上面に金属板を接着したレリーズスイッチを使用することにより、レリーズボタン受け部３３を廃し、レリーズボタン３１とレリーズスイッチ３５とを磁力により、直接的に接合することも可能である。
また、レリーズボタン３１下部に係止突起を設け、レリーズスイッチ３６上面に前記係止突起に対応する係止穴を設け、両者を咬合することにより接合したりすることも可能である。
【００３０】
さらに、レリーズボタン３１は着脱自在であるため、レリーズボタン３１を取り外した状態においては、レリーズボタン受け部３３及びレリーズスイッチ３６を、カメラ筐体外装３８から突出させない位置に配することにより、レリーズボタン受け部３３及びレリーズスイッチ３６は、外部から触れにくくなることによって、ユーザーが誤って触れることによる誤操作や、物品の衝突による誤作動を防ぐことができる。レリーズボタン受け部３３を廃した場合においても同様である。
なお、本発明においては、レリーズボタン３１がレリーズボタン受け部３３に保持されれば実施可能であるため、その限りにおいて、レリーズボタン受け部３３の横断面の面積を小さくすれば、その効果は一層期待できることとなる。レリーズボタン受け部３３を廃した場合においても同様に、レリーズスイッチ３６の横断面の面積を小さくすれば、その効果は一層期待できることとなる。
【００３１】
また、図５に示すように、異なる高さのレリーズボタン４１ａ、４１ｂ、４１ｃを交換することによって、ユーザーの手の大きさに合わせて、レリーズボタンの高さを可変することが可能となる。
【００３２】
レリーズボタンは、その下部がレリーズボタン受け部３３の内側面の形状と係合し、その押圧操作に支障のない限りにおいて、任意の形状とすることができるため、カメラ筐体外装３８より突出する部分については、レリーズボタン受け部３３の形状に左右されないこととなる。レリーズボタン受け部３３を廃した場合においても同様に、レリーズボタン下部とレリーズスイッチ３６上部が係合し、レリーズボタンの押圧操作に支障のない限りにおいて、レリーズボタンを任意の形状とすることができる。
したがって、図６に示すレリーズボタン４のように従来のレリーズボタンの形状にとらわれない五芒星を象ったような形状とすることもできる。
【００３３】
レリーズボタンの形状のみならず、その素材についても、その押圧操作に支障のない限りにおいて、樹脂、金属、ゴム、シリコン等と任意の素材とすることができ、レリーズボタンは容易に交換可能であることから、複数の素材のレリーズボタンを用意することによって、その使用感の変化を楽しむことも可能となる。
【符号の説明】
【００３４】
１            カメラ本体
２            レリーズボタン
３            交換レリーズボタン
４            レリーズボタン
２１            レリーズボタン
２２            雌ねじ穴
２３            別レリーズボタン
２４            雄ねじ
２５            カメラ筐体外装
３１            レリーズボタン
３２            磁石
３３            レリーズボタン受け部
３４            金属板
３５            コイルばね
３６            レリーズスイッチ
３７            回路基板
３８            カメラ筐体外装
４１ａ          レリーズボタン（小）
４２ａ          磁石
４１ｂ          レリーズボタン（中）
４２ｂ          磁石
４１ｃ          レリーズボタン（大）
４２ｃ          磁石
【図１】
2011064982.tif 000003
【図２】
2011064982.tif 000004
【図３】
2011064982.tif 000005
【図４】
2011064982.tif 000006
【図５】
2011064982.tif 000007
【図６】
2011064982.tif 000008